(57)【要約】【課題】    本発明は物を吊す、あるい洗濯物を吊して乾燥する際に使用する、掛け具を提供する。【解決手段】    板状あるいはフレーム状のベース体と、ベース体に形成された複数の開口部と、開口部下辺から上方へ立設され、ハンガー等の任意の吊持補助具のフックを着脱可能に掛けられる突起体とよりなり、フックや棚等に任意の固定手段により利用可能な角度で固定されるものであることを特徴とする。【選択図】    図１
2006204854.tif 000002
【特許請求の範囲】
【請求項１】
板状あるいはフレーム状のベース体と、ベース体に形成された複数の開口部と、開口部下辺から上方へ立設され、ハンガー等の任意の吊持補助具のフックを着脱可能に掛けられる突起体とよりなり、フックや棚等に任意の固定手段により利用可能な角度で固定されるものであることを特徴とする、掛け具。
【請求項２】
ベース体の一部に画鋲や磁石等の任意の着脱固定具を利用出来る、ボード部を有したことを特徴とする、請求項１記載の、掛け具。
【請求項３】
ベース体の回動角度変更を行う角度変更機構を具備することを特徴とする、請求項１、２又は３記載の掛け具。
【請求項４】
ベース体と交叉する角度に補助ベース体を具備し、該補助ベース体はベース体との間に各々、任意の吊持補助具を掛けられる空間を構成するものであることを特徴とする、請求項１、２、３又は４記載の掛け具。
【請求項５】
開口部及び突起体は、任意のハンガーフックを吊した際に、ハンガーフックとベース体及び突起体の接触によりハンガーが傾斜した状態となるものであることを特徴とする、請求項１、２、３又は４記載の掛け具。
【発明の詳細な説明】
【技術分野】
【０００１】    本発明は物を吊す、あるいは洗濯物を吊して乾燥する際に使用する、掛け具に関するものである。
【背景技術】
【０００２】    従来、掛け具として格子状に形成されたワイヤーネットがあり、このワイヤーネットに対応しこれに対象物を吊すために設ける、突起状やＳ字状の補助具がある。干し具として竿があり、竿に吊すためのつ字状の口部を有するハンガー類や、竿を噛む目的で口部が開閉するハンドルの、複雑な構造をしたハンガー類がある。他にステイック体を放射状に設けた集合体の吊し具がある。
【発明の開示】
【発明が解決しようとする課題】
【０００３】    そのために次のような問題点があった。
（イ）従来のワイヤーネットでは、口部がフック状のハンガーなどは掛けられるが、リング状の対象物を吊すためには、突起状やＳ字状の補助具を別に用意する必要があった。
（ロ）突起状の補助具は、その先端付近が手前に向いているので、危険であった。
Ｓ字状の補助具はぐらついて、かけにくかった。
（ハ）竿にハンガーを引っかけた時、風で飛ばされたり吹き寄せられたりしていた。
（ニ）ハンガーが風で竿上を移動しないようにするためには、ハンガー口部先端を差し込むための狭い穴を有するストッパーや、その他の留め具を、別に用意しなければならなかった。
狭い穴に、ハンガーの口部の先端を差し込む吊し方はやりにくかった。
（ホ）竿にかけたハンガーが風で移動しないようにするために設けられた、開閉を操作出来るハンガーの口部の構造は複雑であり、硬くて開きにくく扱いづらかった。
また、複雑な構造のため高価であった。
（ヘ）ハンガーの口部に生じたワイヤーの切り口が、手に当たり易くて痛かった。
また、対象物に当たり易く、傷つき易かった。
（ト）竿は重く、これをいちいち持ち上げなければ干せない場合があった。
（チ）竿は並列に並べて増やしていくもので場所を取り、洗濯物は重なり合い乾きが遅かった。
（リ）竿は庭に固定し、この固定具と共に置きっ放しにするもので、庭の日当たりの良い個所を常に占領している。
（ヌ）竿は、雨天の場合もそのまま庭に置かれているため、その時は洗濯物を別の干し具に干し変えなければならなかった。
（ル）ステイック体が放射状に広げられている集合体の円状の吊し具は、半径に一定の長さが必要なため、取って部はその長さで設けたステイック体をおいて奥にあり、従ってこれを持つ時、遠く扱いにくかった。
また、洗濯物を全部かければ重く壊れそうで、重なり合い乾きは悪く、隙間を設けて干す方がよりよくなり、ステイック体の一部は使用されてないことが多かった。
（オ）集合体の円状の干し具に濡れた洗濯物をかければ重く、これをぶら下げるための竿以外の固定具対象によっては中心が取りにくく、風でふらつき、倒れたりしていた。
（ワ）洗濯物はもともと人目にさらしたくないものであるが、日光を必要とするためそれが不可能であった。そのため、竿上の吊し具にわざわざ布などでカバーをして下着などを干すこともあった。
本発明はこれらの問題点を解決するためになされたものである。
【課題を解決するための手段】
【０００４】    板状あるいはフレーム状のベース体と、ベース体に形成された複数の開口部と、開口部下辺から上方へ立設され、ハンガー等の任意の吊持補助具のフックを着脱可能に掛けられる突起体とよりなり、フックや棚等に任意の固定手段により利用可能な角度で固定されるものであることを特徴とする。
【発明の効果】
【０００５】  突起状やＳ字状の補助具を別に用意する必要がなくなった。
突起を設けたので、シンプルなリング状の口部の干し具が多く干せるようになった。
リング状の口部を突起に吊した場合、風に吹き飛ばされることがなくなった。
リング状なので口部には切断面がなく、端部の尖りが当たらず痛くなく、対象物に当たっても傷をつけなくなった。
口部がリング状なので、フック状の口部が吊す物の重さで広がることがなくなった。
掛け具本体をいちいち持ち上げる必要はなくなった。
ハンガーは斜めに向いて固定され洗濯物は面より離れ、通風がより効果的に行われる。
ステック体を半円状に放射させた集合体のハンガーが固定できる。これは軽く、着脱が自由に出来、重さのバランスがとれかつ取って部に届き易く、ベース体の両面側を利用して、無理なく多くの洗濯物を干すことが可能となった。
ボード部を有することで構造的により強固になり、またボード面を利用することで、多くの対象物を吊したり留めたりすることが可能になった。
補助ベース体を有することで、掛け具一体の収容力が増えた。
ボード部とそれに対応する吊り具に磁石機能を持たせることにより、口部の端部が別のものにひっかかったり、ひっかけたりしなくなった。
自立が可能なので、移動も出来、雨天、曇天、荒天の際の対策がし易くなった。
衝立の代用ともなり、洗濯物がかけられていない場合でも、プライバシーが守られている。
ベース体の表裏に干せ、人目にさらしたくない洗濯物は裏側に隠すことが出来、しかも、目の空間を通し日光は当たっている。
庭の景観を損なわない上に、物干しを好ましい状態に創作していくことも可能となった。
乾燥が終わった時点で、物干し状態が跡形なく片づけられることが可能となり、庭の広さが確保出来るようになった。あるいは庭の広さを邪魔することなく、掛け具を設置することが出来るようになった。
【発明を実施するための最良の形態】
【０００６】    以下、本発明の実施の形態について説明する。
整理用のベース体と物干し用のベース体に分類して説明する。
先ず、片面の利用を主とする整理用のベース体について、図１〜図２４を用いて説明する。
図１〜図７を用いて、線状材からなる、突起体を内蔵するフレーム状のベース体について説明する。
図１、図２を説明する。図１は縦材（１）と横材（２）の線状材を格子状に組み、この交叉個所を避けて横材上に突起体（３）を設け、フレーム体（４）とするものである。突起体を設ける個数や位置について整然にあるいはランダムに設けるかは、目の大きさや目の数、かつ使用対象によって決まる。図２は突起体に関する拡大図で、縦横材と同じ線状材で設ける例である。ａは横材に突起体を固着した正面図、ｂはこの場合に考えられる横材における断面図である。フレーム体本体と突起体は一体、別体を問わない。この条件は以下に通じる。
図３〜図５を用いて使い方を説明する。図３はフレーム体の設置方法の例を示し、壁等の面に平行位置に取り付けた釘等のフックの凸部（５）に、フレーム体の上端の目を引っかけた場合である。あるいは突起体を上向きにした時、任意の格子目を好都合な位置の凸部に引っかけてもよい。図４、図５で当フレーム体への吊し具（６）等の吊り下げ方を示している。図４ａは口部がリング状の吊し具を突起体につり下げた場合、ｂはその時の横材における断面図である。吊し具のリング状の口部の頂点付近が突起体の裏面側にかかり、口部の左右が横材に載り、表面側にある吊り具の本体側の重さにより、本体側の先端に向けて下がる傾斜状を呈する。図５は突起体に紐のような柔軟な吊り具をかけた場合の、横材における断面図である。曲がり個所（７）が生じている。
図６、図７を用いて、前記形態に対し突起体の位置の違いによるフレーム体の別型について説明する。
図６は縦材と横材の線状材を格子状に組み、その交叉個所に突起体を斜め向きに設け、フレーム体としたものである。ａはその正面図である。ｂでは当フレーム体の設置方法の例を示し、壁等の面に取り付けた釘等のフックの凸部に、突起体を上向きにした状態でフレーム体の上側の角部を引っかけたものである。より固定を安定させるために、左端、右端の角部辺りに、別に凸部を設け左右の角をこれに引っかける、又は当角部を少し切り外して横幅を狭くする場合等も考えられる。図７は突起体に関する拡大図である。ここでは縦横材の一方に突起体をあらかじめ固着して又はその状態の型で設けた場合とする。ａはその正面図、ｂは縦材の方に突起体を固着した場合の縦材の正面図、ｃは突起体の右側面側からの断面図である。縦材に対し突起体はここでは少し斜め向きに設けられている。また必ずしも交叉個所の中心に突起体中心がくるとは限らない。
吊し具の使い方は前記に準じる。【０００７】    図８〜図１０を用いてその他のフレーム体の外枠並びに盤形状について説明する。
図８は縦横材とは別に外枠部として斜め用材を必要とするものである。縦横材を組み交叉個所に突起体（３）を設け、縦横材に対し斜めになるように四角形状の外枠部（８）を設けて、フレーム体（４）とした例である。ａは正面図、ｂは壁等の面に平行位置に取り付けた釘等のフックの凸部（５）に、フレーム体の上端の目を引っかけた図である。
図９、図１０を説明する。
図９ａは図１の形態を斜めに切断したものである。切断個所に斜め用材が使用され、これが外枠部の一部となる。ｂは横材に対し突起体を固着した縦材を斜め向きに交叉するもので、このフレーム体を反対向きで２枚用意し、中央に支柱部（９）を設ける。支柱部の設け方は、支柱用の板材の両端と外枠部との接触個所を溶着する。他の線状材との接触個所の横材の中心部や縦材同士の交叉個所も溶着する。
図１０はこれまで説明した、三角状や四角状以外のフレーム体の盤形状を示し、突起体を交叉個所に有するものである。ａは図６ｂの盤形状を円状にしたもので、これに支柱部を設ける。ｂは花の具象形にしたもので、これにはがくに見立てた横向きのボード部（１０）を設ける。この設け方は、外枠部の下部のラインに添ってボード部下部を溶着する。他の接触個所も溶着してもよい。
その他、ベース体の盤形状は様々あるが、突起体が常に上方向に向く。吊したものが落下しない範囲で少し斜めに向く場合も含む。
ボード部が木材の場合には画鋲類を使用して、対象物を掲示したり、また画鋲を突起体のように扱うことも出来る。その他の使い方は前記に準じる。【０００８】    図１１〜図１８を用いて突起体（３）の別型を説明する。
先ず図１１〜図１４を説明する。
図１１は上端付近を広げた形状にしたもので、ａは正面からの拡大図である。この際考えられる側面側からの断面図はｂ又はｃで、ｂのように突起体の先端を潰して平たく広くする、又はｃのように厚く球状にすることも可能である。図１２は別に帯状材を用意し、これで横材（２）を下からくるんで溶着する。ａはその正面からの拡大図、ｂは突起体の右側面側からの断面図である。図１３は別に線状材を用意し、これで横材を下からくるんで上でねじる。必要なら溶着する。ａはその正面からの拡大図、ｂは突起体の右側面側からの断面図である。図１４は横材そのものを細工することによって、突起体を設ける場合の正面からの拡大図ある。ａは横材を摘んで設け、ｂは横材を摘んでねじって設け、ｃは分離した横材をねじり合って設けるものである。必要なら溶着する。
次に図１５を用いて、突起体が同じ格子内に２個ある場合について説明する。フレーム体（４）と同一面上にある場合で、ａはその正面からの拡大図、ｂは突起体の右側面側からの断面図である。
図１６〜図１８を用いて、交叉個所に突起体を設けた図６，図８、図１０のフレーム体に対応する場合の、図７以外の設け方を説明する。これは縦材（１）と横材の交叉した個所に突起体を有する
図１６は、棒状の突起体の一端を薄くしそこを、交叉個所の縦材と横材の間に差し込んで溶着したものである。ａはその正面からの拡大図、ｂは突起体の右側面側からの断面図である。図１７は帯状材等で、交叉個所を下からくるんで、向かい合う上部を接触させ溶着する。ａはその正面からの拡大図、ｂは突起体の中心位置における右側からの断面図である。図１８はその他の方法を示す正面からの拡大図で、ａは交叉個所をくるんでねじり合い溶着する。ｂは前記図１７の過程に加え、突起体の中程の左右についても、表裏が向かい合い触れ合うまで広げて延ばし、それらも溶着する。
使い方は前記に準じる。吊し具に関する使用状態は図４、図５と同様になる。【０００９】    図１９〜図２４を用いて、目の構成について説明する。
これまで格子状の目について説明してきたが、その他の多角形や円が考えられ、また、線状材以外の材料からなる板状のベース体の場合も考えられる。使い方は前記に準じる。
図１９はフレーム体での多角形の場合とし、線状材の交叉個所に突起体（３）を有する。ａは、前記図６の格子目の交叉個所に第２横材（１１）が加わった形状で、三角状を呈する。突起体を第２横材に固着して設けてもよい。ｂは前記図６の交叉状態を直角以外の角度にしたもので、菱形及び平行四辺形状を呈する。
図２０〜図２４について説明する。円状や多角形状の空間に突起体を残して、板状材からくり抜くことで設け、これを類似的フレーム体の板体とする。
図２０〜図２２について説明する。図２０は正面図で、板状材より突起体を残して円形で数個切り抜き板体（１２）とし、この上端の目とする空間を、壁等の面に平行位置に取り付けた釘等のフックの凸部（５）に、引っかけて固定している。図２１は突起体付近の拡大図である。図２２はリング状の吊し具（６）の取り付け方を示し、ａは表側からの、ｂは裏側からの突起体付近の拡大図である。
図２３、図２４でその他の空間形状の説明をする。図２３は直線上に突起体を残してａは三角状、ｂは半円状に、板状材から切り抜いたものである。図２４は角部に凸部を残してａは三角状、ｂは扇形状に切り抜いたものである。
以下、当板体をフレーム体に含めて説明を行う【０００１０】    次に、図２５〜図３７を用いて、両面の利用を主とする。物干し用の掛け具について、説明する。図９ｂ、図１０ａでフレーム体に支柱部を設けたが、この支柱部がフレーム体から外部へ延長された場合、又はこれに固定機能を加えた場合を掛け具とする。使い方については特記のない場合はこれまで同様とする。
室内用その１として、図２５〜図２７を説明する。
図２５、図２６は支柱部（９）を外枠部外の下方に延長して有した掛け具の、自立の方法の例である。円状の外枠部（８）を持つフレーム体から支柱部を延ばし、固定部（１４）を設け、掛け具（１３）とした。支柱部は図９ｂ、図１０ａと同様に設ける。又は板状材を２枚用意してフレーム体の中心線上の表裏にあてがった時の、外枠部並びに線状材との接触個所をそれぞれ溶着する。かつ、延長した支柱部下部で表裏の板状材を溶着する方法等がある。図２５はその正面図で、ａは円盤状の固定部とし、ｂは籠で囲みこれを固定部とした。支柱部下部裏を円盤中央や、籠の底面の中央で固着する。図２６は図２５の形態に於ける平面図の種類を示したもので、ａは図２５ａに対応し、ｂは図２５ｂに対応している。
図２７は支柱部の下端にフレーム体の面方向の支柱片（１６）を設けて、固定しやすい形状にしたものである。支柱片の幅は固定部の内径に近い長さで設ける。
掛け具の使い方を図２７を用いて説明する。洗濯物（１５）をかけたハンガー類を表裏の両面から突起体（３）や外枠部にかける。屋外に持ち出したい場合は全体を持ち上げて移動する。固定部の裏部にキャスターを設けた場合は、押したり引いたりして移動する。【０００１１】    室内用その２として、図２８〜図３１を用いて、これまで説明したものを主のフレーム体とし、これと同形状あるいは簡略化した類似形状の補助フレーム体を、複数設ける場合の説明をする。場所をなるべくとらずに多くの洗濯物を干せるようにする目的である。主の又は補助フレーム体について、これを固定して設ける場合があるが、他に引っかけ式や差し込み式があり、設置数が選べるものや回転機能を有するもの等がある。
図２８は主のフレーム体（４）に対し補助フレーム体（１７）を交叉して、平面から見て十文字状にしたものである。同時に支柱片（１６）もそれぞれに設けた。ここでは他にボード部（１０）を２枚設けている。ａは斜視図、ｂは平面図である。
図２９、図３０の要部拡大図を利用して説明する。溝部を設け、掛け具や補助フレーム体を着脱式にするものである。
図２９は、固定部（１４）に溝部（１８）を設けて、固定部に対し掛け具を着脱する斜視図で、ａはその断面図、ｂは取り付け方を断面で示し、溝部に支柱片を填め込んでいる。
図３０は支柱部（９）側に溝部を設け、支柱部に対し補助フレーム体又は掛け具（１３）状態の補助フレーム体が着脱するものである。ａは支柱部の中間辺りの断面の斜視図、ｂは半円状の直径側を直線部（１９）とする、補助フレーム体の正面図である。取り付け方は溝部に直線部を填め込み、平面から見て１枚ならＴ字状、２枚なら十文字状に成形する。
図３１は支柱部を筒状にするものである。ａの断面を示す斜視図より、まず支柱部の面に上下２個所を一組として数組の穴（２０）を設ける。次にｂの正面図より、補助フレーム体側の直線部分に、穴に差し込める太さのかぎ部（２１）を、前述の穴に対応する位置に１対ずつ設ける。取り付け方は、支柱部の周囲にこれらの数枚の補助フレーム体を、必要なだけ差し込んで固定する。【０００１２】    室外用について説明する。
室外用その１として、先ず、固定部を有さず、他の屋根やひさし、フェンス等の何かに頼って固定可能とする形態を、図３２〜図３４を用いて説明する。
図３２、図３３はベランダやテラスの柱や天井を利用して、三角状のフレーム体（４）を設置するものである。図３２は柱やポール部（２２）に凸部（５）を設けて、これにフレーム体の側面側の目を引っかける。ａは使用図、ｂはその拡大図である。フレーム体の上端部に引っかけ部（２３）を設けた場合は天井側にも凸部を用意し、この凸部に引っかけ部を引っかける。図３３は支柱部の代わりに突っ張り棒（２４）の機能を持たせたもので固定する。ａは使用図で、端部に設けた引っかけ部で、天井側に設けた凸部に引っかけて固定したもの、ｂは回転個所の拡大図で、突っ張り棒とフレーム体をリング体や蝶番等の繋ぎ具（２５）で繋いだものである。回転させたい時は、凸部から引っかけ部を外し、好みの個所の凸部に引っかけて落ち着かせる。
図３４は三角状のフレーム体に、回転可能なステイック体（２６）を設けたものである。ａは正面図、ｂは回転個所の拡大図である、使い方は平生は折り畳んでフレーム体に添わせておき、必要に応じて好みの本数をフレーム体の面より離し、洗濯物（１５）を干す。
室外用その２として、図３５〜図３７の説明をする。目隠しの目的をより可能にする形態である。
図３５は三角状の盤の掛け具とし、この２枚を逆向きにし、テラスやベランダの端に、これまでに説明した方法、又は後記する固定方法等で固定するものである。
図３６、図３７は前記形態に於いて回転をする掛け具の例である。図３６ａは正面図、ｂは使用図で、左側のフレーム体を手前に少し回転している。図３７は回転個所の一部の拡大図である。支柱部（９）に設けたストッパー（２７）を断面図で示したが、これは落下止めの補助をしている。ａはフレーム体の端部で柱をくるむ、ｂは支柱部をくるむ端部を処理し易いように、シート状の材料で、フレーム体の線状材をまとめてここを結束体（２８）とし、これで柱をくるむ場合である。使い方としてはフレーム体が、邪魔になる時や日差しの具合等で好みの個所まで回転する。【０００１３】    室外用その３として、図３８、図３９を用いて、地面へ刺し込んで固定をする形態の説明をする。
図３８は掛け具（１３）を木の具象形で表し、外枠部（８）やボード部（１０）を設けた本発明の固定方法を示したものである。小枝（２９）状の突起体（３）を設けている。図３９は図３８に、当発明のフレーム体、あるいは突起を有さない既存のフレーム体を重ねて設けたものである。当発明のフレーム体の場合は、小枝を設けなくてもよい。
室外用その４として、図４０を用いて、室外に固定部を別の方法で有し、これを利用する形態について説明する。
ａは側面側からの断面図で、掛け具にかぎ部（２１）を設け、これでフェンス（３０）に引っかけて固定するものである。又はかぎ部と同じ位置のフェンスの目にかぎ部を差し込んで固定する。ｂは正面図で、フエンスの繋ぎ目等に、筒状の固定部とする筒体（３１）を取り付け、これに掛け具を必要に応じて、差し込んで使用する場合である。木等の具象形にして常備し、目隠し用の植木代わりにしたい場合は、それなりの枝数で設ける。あるいは前図３９のように二重構造にする。【０００１４】    その他、当フレーム体及び掛け具を使用するために必要な形態、あるいは発展可能な形態について、図４１〜図５７を用いて補足する。
先ず、これまで直線状の突起体について説明してきたが、図４１〜図４４を用いて、くの字型の突起体の場合を説明する。
図４１、図４２でくの字型の形状の説明をする。この突起体（３）は縦材（１）と横材（２）からなるフレーム体の面上より、その一部が突き出す形態である。図４１ａはくの字型の正面図である。ｂは使用側面図で、吊し具（６）を吊した場合に、これがフレーム体の面より少し離れることを示す。風通しはよりよくなり、フレーム体に汚れが有ってもそれを避けることが出来る。図４２は図４１の場合で考えられる右側面側からの断面図で、３種類の形状を示した。ａは先端部をフレーム体の面の位置に届く個所まで戻す場合、ｂは直線状に斜めに突き出し先端を少し曲げる場合、ｃは先ずフレーム体の面側から直角状に突きだし次に上へ向けフレーム体の面に添う形状である。
図４３、図４４で同じ格子目内に２個の突起体を設ける場合の説明をする。図４３は同じ目内で横材の別位置に並べて設けた場合である。ａはその正面からの拡大図、ｂ、ｃはこの時考えられる右側面側からの断面図で、ｂは突起体を同じ向きに、ｃは反対向きに設けた場合である。図４４は横材の同じ位置の表裏に対称的に設けた場合で、ａはその正面からの拡大図、ｂはこの時考えられる突起体の右側面側の断面図である。
図４５〜図４７は当突起体の使い方の別例で、硬質な吊し具に於いて、これがフレーム体の面より離れて吊せる方が好都合な場合の説明をする。
図４５は口部以外の個所については従来の布巾かけ等に見られる吊し具で、ａはこれをくの字型の突起に引っかけた側面図である。リング状の口部を有する側と洗濯物をかけるためのステイック体（２６）があり、当２体を結合した個所を結合部（３２）とする。この結合部とフレーム体との接触面がぐらつかないように、スティック体の端部ラインを一直線を示すように設ける。ｂは正面図である。
図４６は前記吊し部の口部を突起体に引っかけ、ステイック体をそれぞれ任意の位置まで広げた時の平面図である。図４７は前記状態に洗濯物（１５）をステイック体にかけた側面側からの使用図である。フレーム体の表裏の両面を使用して反対向きに２体を固定することが出来る。【０００１５】    次に、図４８〜図５１でボード部の利用の例を示す。
図４８は前記吊し具を固定する場合に、ボード部（１０）を利用することにより、吊し具（６）の固定をよりしっかりさせるものである。吊し具にはボード部にかけるために裏面側に折り返されたフック部が形成されている。ボード部は左右の端部をフレーム体（４）の外枠部（８）前面と溶着している。この際、外枠部はフレーム体より厚くなっており、フレーム体に対して前面に突出しているため、ボード部とフレーム体との間に隙間が形成され、前記吊し具のフック先端を差し込むことが出来るようになっている。
使い方は吊し具の口部の先端をフレーム体とボード部の間に差し込む。ａはその時の側面図、ｂはボード部のフレーム体と接する側からの正面図である。フレーム体を同時に噛む余裕を設けた場合は、フレーム体の横材も同時に噛む。この時は隙間となる空間は必要ないので、外枠部に厚みを設けなくてもよい。突起体があるなら突起体を避けるか、吊し具の口部のリング内に突起体を入れて噛む。従来のフックならば図のようなＶ状ではなく１本状で留めることになる。
図４９、図５０はボード部に引っかけ吊した時、本体が上へ突き出す例である。うさぎの具象形で説明する。
図４９ａはボード部より上部、ここでは耳を突きだし部（３３）とする斜視図である。他に本体下部と同じ向きに、差し込み片（３４）を設ける。ｂはボード部に固定した時の側面からの断面図である。図５０は突起体とボード部の両方に掛ける場合の裏面側からの拡大図で、ａは差し込み片に穴を設けた、ｂは差し込み片に切り込みを設けたものである。ｃは側面側からの断面図である。使い方は、これに靴下のような袋状の洗濯物（１５）を、図４９ｃの斜視図のように上から被せて干す。
図５１はボード部を金属板（３６）にした場合に使用出来る、磁石式の吊し具の例で、ａの斜視図のように、ハンガーの口部の代わりに、磁石部（３５）を設けたものである。使い方はｂのように、磁石部を金属のボード部に接触して吊し具を固定する。【０００１６】    続けて、図５２〜図５４で、曲がり個所を設ける場合の説明をつけくわえる。
図５２は図４５の例をとって説明するが、当発明に対応する吊し具（６）側に、曲がり個所（７）を設けた場合の側面図である。図５３は前記図５１の磁石使用のハンガーに於いて洋服の型くずれを避けるために、吊し具の中程に曲がり個所を設けるものである。ａは側面図、ｂは使用斜視図である。図５４は固定を安定したものにする目的で、一度面まで戻し再び斜めに突きだした形状の吊し具の側面図で、横材（２）は断面図で表した。
図５５でフレーム体の外枠部をはみ出した個所を有する形態について説明する。
フレーム体の上部に、線状材を継ぎ足して外枠部（８）を越え、洗濯物に応じた形状の突きだし部（３３）を設けた正面図である。靴下、手袋のような袋状の洗濯物を覆うものである。ここでは靴下用とする。
図５６、図５７で、数枚の掛け具（１３）を、屏風状に繋ぎ合ったタイプについて説明する。目的は衝立を兼ね、目隠し効果をより大きくしようとするものである。
図５６は掛け具の３枚をリング体や蝶番の繋ぎ具（２５）で繋ぎ合った正面図である。図５７の平面図で、図５６を互いに立たせ合い自立させる場合の別の例を示す。ａは端部同士を繋ぎ合った場合であり、ｂ、ｃは竿やその他の棒体（３７）を利用して自立させた例で、棒体を２枚の掛け具の格子目に通して固定する。【０００１７】    尚、片面利用タイプとしてフレーム体や板体を、両面利用タイプとして掛け具を説明したが、これは便宜的な分類にすぎないことを明言する。また物干し用に関して室内、室外の区別を設けて説明したが、移動可能な形態の場合、室内、室外の用途や天候の変化等で、臨機応変にその場所的に使い方が代わりうることも同様である。掲示用としての扱いも同様である。その他、フレーム体の材料について、竹材や木材での成形も可能であり、この時の突起体の設け方は、釘等を利用して突起体を縦横材に接合することが出来、または釘を突起体として成形することも出来る。
【図面の簡単な説明】
【０００１８】
【図１】    本発明の正面図である。
【図２】    本発明の正面からの断面図である。
【図３】    本発明の正面図である。
【図４】    本発明の拡大図と断面図である。
【図５】    本発明の断面図である。
【図６】    本発明の正面図である。
【図７】    本発明の拡大図と断面図である。
【図８】    本発明の正面図である。
【図９】    本発明の正面図である。
【図１０】    本発明の正面図である。
【図１１】    本発明の拡大図と断面図である。
【図１２】    本発明の拡大図と断面図である。
【図１３】    本発明の拡大図と断面図である。
【図１４】    本発明の拡大図である。
【図１５】    本発明の拡大図と断面図である。
【図１６】    本発明の拡大図と断面図である。
【図１７】    本発明の拡大図と断面図である。
【図１８】    本発明の拡大図である。
【図１９】    本発明の拡大図である。
【図２０】    本発明の正面図である。
【図２１】    本発明の拡大図である。
【図２２】    本発明の拡大図である。
【図２３】    本発明の拡大図である。
【図２４】    本発明の拡大図である。
【図２５】    本発明の正面図である。
【図２６】    本発明の平面図である。
【図２７】    本発明の使用図である。
【図２８】    本発明の斜視図と平面図である。
【図２９】    本発明の斜視図である。
【図３０】    本発明の斜視図と正面図である。
【図３１】    本発明の斜視図と正面図である。
【図３２】    本発明の使用図である。
【図３３】    本発明の使用図と拡大図である。
【図３４】    本発明の正面図と拡大図である。
【図３５】    本発明の正面図である。
【図３６】    本発明の正面図と使用図である。
【図３７】    本発明の拡大図である。
【図３８】    本発明の正面図である。
【図３９】    本発明の正面図である。
【図４０】    本発明の断面図と正面図である。
【図４１】    本発明の正面図と側面図である。
【図４２】    本発明の断面図である。
【図４３】    本発明の正面図と断面図である。
【図４４】    本発明の正面図と断面図である。
【図４５】    本発明の側面図と正面図である。
【図４６】    本発明の平面図である。
【図４７】    本発明の使用図である。
【図４８】    本発明の側面図と正面図である。
【図４９】    本発明の斜視図と断面図である。
【図５０】    本発明の拡大図と断面図である。
【図５１】    本発明の斜視図と使用図である。
【図５２】    本発明の側面図である。
【図５３】    本発明の側面図と使用図である。
【図５４】    本発明の側面図である。
【図５５】    本発明の正面図である。
【図５６】    本発明の正面図である。
【図５７】    本発明の平面図である。
【符号の説明】
【０００１８】    １  縦材              ２  横材              ３  突起体
４  フレーム体        ５  凸部              ６  吊し具
７  曲がり個所        ８  外枠部            ９  支柱部
１０  ボード部        １１  第２横材        １２  板体
１３  掛け具          １４  固定部          １５  洗濯物
１６  支柱片          １７  補助フレーム体  １８  溝部
１９  直線部          ２０  穴              ２１  かぎ部
２２  柱やポール部    ２３  引っかけ部      ２４  突っ張り棒
２５  繋ぎ具          ２６  ステイック体    ２７  ストッパー
２８  結束体          ２９  小枝            ３０  フェンス
３１  筒体            ３２  結合部          ３３  突きだし部
３４  差し込み片      ３５  磁石部          ３６  金属板
３７  棒体
【図１】
2006204854.tif 000003
【図２】
2006204854.tif 000004
【図３】
2006204854.tif 000005
【図４】
2006204854.tif 000006
【図５】
2006204854.tif 000007
【図６】
2006204854.tif 000008
【図７】
2006204854.tif 000009
【図８】
2006204854.tif 000010
【図９】
2006204854.tif 000011
【図１０】
2006204854.tif 000012
【図１１】
2006204854.tif 000013
【図１２】
2006204854.tif 000014
【図１３】
2006204854.tif 000015
【図１４】
2006204854.tif 000016
【図１５】
2006204854.tif 000017
【図１６】
2006204854.tif 000018
【図１７】
2006204854.tif 000019
【図１８】
2006204854.tif 000020
【図１９】
2006204854.tif 000021
【図２０】
2006204854.tif 000022
【図２１】
2006204854.tif 000023
【図２２】
2006204854.tif 000024
【図２３】
2006204854.tif 000025
【図２４】
2006204854.tif 000026
【図２５】
2006204854.tif 000027
【図２６】
2006204854.tif 000028
【図２７】
2006204854.tif 000029
【図２８】
2006204854.tif 000030
【図２９】
2006204854.tif 000031
【図３０】
2006204854.tif 000032
【図３１】
2006204854.tif 000033
【図３２】
2006204854.tif 000034
【図３３】
2006204854.tif 000035
【図３４】
2006204854.tif 000036
【図３５】
2006204854.tif 000037
【図３６】
2006204854.tif 000038
【図３７】
2006204854.tif 000039
【図３８】
2006204854.tif 000040
【図３９】
2006204854.tif 000041
【図４０】
2006204854.tif 000042
【図４１】
2006204854.tif 000043
【図４２】
2006204854.tif 000044
【図４３】
2006204854.tif 000045
【図４４】
2006204854.tif 000046
【図４５】
2006204854.tif 000047
【図４６】
2006204854.tif 000048
【図４７】
2006204854.tif 000049
【図４８】
2006204854.tif 000050
【図４９】
2006204854.tif 000051
【図５０】
2006204854.tif 000052
【図５１】
2006204854.tif 000053
【図５２】
2006204854.tif 000054
【図５３】
2006204854.tif 000055
【図５４】
2006204854.tif 000056
【図５５】
2006204854.tif 000057
【図５６】
2006204854.tif 000058
【図５７】
2006204854.tif 000059